(57)【特許請求の範囲】
【請求項１】
乾電池と、
上記乾電池の出力に接続され、変速時に変速用モータへの変速値を設定する変速設定器と、
スピード、走行距離及び時刻の少なくとも１つを表示する表示装置と、
速度検出信号と上記乾電池の出力と上記変速設定器の出力信号とを入力し、上記乾電池の出力と上記変速設定器の出力信号との比をデジタル処理し、上記変速用モータへの変速を指令する変速指令信号と、上記表示装置への表示を指令する表示指令信号とを出力する制御装置と、
少なくとも上記表示装置と制御装置との間に直列に設けられたスイッチング素子と、
手動起動用スイッチとが、
設けられ、上記制御装置は、
走行が行われているとき、上記スイッチング素子をオンし、走行が第１の所定時間にわたって停止されたとき、上記スイッチング素子をオフし、前記スイッチング素子がオフの状態で、上記手動起動用スイッチが操作されると、上記スイッチング素子を第２の所定時間にわたってオンする乾電池を有する制御器。
【発明の詳細な説明】
【０００１】
【発明の属する技術分野】
本発明は乾電池を有する制御器に関するものである。
【０００２】
【従来の技術】
従来から自転車は乾電池を用いて走行中電動で変速したり，スピードや走行距離，時刻などをＬＣＤを用いて表示している。これら自転車には一般にリチウム電池などの乾電池が用いられ，この乾電池は，長時間で使用できることが望まれている。
【０００３】
自転車に用いられる乾電池を有する制御器に図３に示すようなものがある。図においては１は乾電池，２は乾電池１を電源とし，内部でデジタル演算処理した後，変速時に変速用モータを変速指令し，さらに，スピード，走行距離，時刻などの表示を指令する制御装置，４及び５は，それぞれ制御装置３の出力信号を受け，自転車を変速する変速用モータ，及びスピード，走行距離，時刻などを表示する表示装置である。３は変速時の設定値を指令する変速設定器である。１０は速度検出器である。
【０００４】
変速設定器３の設定値Ｖ２が乾電池１の端子電圧Ｖ１の関数となって制御装置２に入力する。制御装置２は変速設定値Ｖ２と，乾電池１の端子電圧Ｖ１と，速度検出器１０の速度検出信号を受けてデジタル処理し，変速指令信号及び表示指令信号を出力する。そして，制御装置２の変速指令信号により変速用モータ４を変速し，表示指令信号により表示装置５をスピード，走行距離，時刻などを表示する。
【０００５】
【発明が解決しようとする課題】
しかし，乾電池１には制御回路２の他，変速設定器３，変速時の変速用モータ４，表示装置５，変速設定器６が接続されるため損失が大きく，乾電池１の寿命が短くなるという問題がある。
【０００６】
【課題を解決するための手段】
本発明の乾電池を有する制御器は、乾電池と、上記乾電池の出力に接続され、変速時に変速用モータへの変速値を設定する変速設定器と、スピード、走行距離及び時刻の少なくとも１つを表示する表示装置と、速度検出信号と上記乾電池の出力と上記変速設定器の出力信号とを入力し、上記乾電池の出力と上記変速設定器の出力信号との比をデジタル処理し、上記変速用モータへの変速を指令する変速指令信号と、上記表示装置への表示を指令する表示指令信号とを出力する制御装置と、少なくとも上記表示装置と上記制御装置との間に直列に設けられたスイッチング素子と、手動起動用スイッチとが、設けられている。上記制御装置は、走行が行われているとき、上記スイッチング素子をオンし、走行が第１の所定時間にわたって停止されたとき、上記スイッチング素子をオフし、前記スイッチング素子がオフの状態で、上記手動起動用スイッチが操作されると、上記スイッチング素子を第２の所定時間にわたってオンする。
【０００７】
変速設定器の設定値は，乾電池の端子電圧の関数となって制御装置に入力する。制御装置は速度検出信号と，変速設定器の設定値と，乾電池の端子電圧とを入力として，その比をデジタル処理し，変速指令信号及び表示指令信号を出力する。そして，変速時に変速指令信号により変速用モータを指令し，表示指令信号により表示装置にスピード，走行距離，時刻などを表示する。
【０００８】
もし，走行が所定時間例えば５分間継続して停止した場合，表示装置及び変速設定器のうち少なくとも１つに直列接続されたスイッチング素子を制御装置の出力によりオフさせ，表示装置及び変速設定器のうち少なくとも１つに供給される電流を遮断する。
【０００９】
【発明の実施の形態】
本発明の乾電池を有する制御器を，その一実施の形態を示した図１に基づいて説明する。図１において，従来の図３と異なる点は図３の変速設定器３及び表示装置５と直列にスイッチング素子６及び８を設けたものである。すなわち，１は乾電池，２は変速時に変速用モータを変速指令し，スピード，走行距離，時刻などの表示を指令する制御装置，３は変速時の設定値を指令する変速設定器，４は制御装置２の変速指令信号を受け，変速時に駆動する変速用モータ，５は制御装置２の表示指令信号を受け，スピード，走行距離，時刻などの表示を行う表示装置，７及び９は変速設定器３及び表示装置５と直列に設けられたスイッチング素子６及び８の制御端子に設けられた抵抗である。また，１０は速度検出器であり，１１，１２はそれぞれ手動起動用スイッチとマニュアル時に自動に切り換える自動起動用スイッチである。
【００１０】
自転車の走行時，変速設定器の設定値Ｖ２が乾電池１の端子電圧Ｖ１との関数となって制御装置２に入力する。制御装置２は上記変速設定値Ｖ２と，乾電池１の端子電圧Ｖ１と，速度検出器の速度検出信号とを受けてデジタル処理し，変速指令信号及び表示指令信号を出力する。そして，制御装置２の変速指令信号により変速用モータ４を変速し，表示指令信号により表示装置５にスピード，走行距離，時刻などを表示する。また，自転車の走行を例えば５分以上停止する場合には，制御装置２はスイッチング素子６及び８をオフさせ，変速設定器３及び表示装置５への電流供給を遮断する。これにより，損失を抑え，乾電池１の寿命を長くする。
【００１１】
次に上記走行時と走行停止時の表示装置の表示に関するフローチャートの事例を図２を用いて説明する。まず，速度検出器１０により速度検出を行い，走行時か走行停止時かを判断し，もし走行中であれば表示装置５によりスピード，走行距離，時刻などを表示する。
【００１２】
もし，走行停止中であれば，表示装置５を手動による強制的な表示をさせるのか，自動により表示をするのかを判定する。もし，手動に設定されていれば，表示装置５により強制的にスピード，走行距離，時刻などを表示する。
【００１３】
もし，自動により表示装置５に表示するように設定されていれば，制御装置２内の第１のタイマをカウントさせる。もし第１のタイマがカウント中であれば，表示装置５によりスピード，走行距離，時間などを表示する。走行が例えば５分間継続して停止し，第１のタイマがカウントアップした場合，制御装置２はスイッチング素子８をオフさせ，表示装置５への電源供給を遮断して，表示装置５によるスピード，走行距離，時間などの表示を停止する。そして，再び自転車の走行が開始すると，速度検出器１０の速度検出信号が制御装置２に入力し，上述の動作が繰り返し行われる。
【００１４】
今，走行停止中の表示装置２による表示の停止時に，手動起動用スイッチ１１を動作させると，制御装置２内の第２のタイマがカウントを開始する。この第２のタイマのカウント中の時には，表示装置５によりスピート，走行距離，時刻などを表示する。第２のタイマのカウントがすすみ，タイムアップすると，手動による表示装置２の表示から自動による表示に切り換える。
【００１５】
上記ソフトプログラムの実施の形態では，走行停止時表示装置５への電源供給を遮断させているが，走行停止時，表示装置５への電流供給を遮断すると同時に，スイッチング素子６をオフさせ，変速設定器３への電源供給を遮断させることが望ましい。さらに，表示装置５，速度設定器３への電流供給を遮断するだけでなく，乾電池の他の負荷についてもスイッチング素子を設けて遮断させてもよい。また，上記実施の形態では，走行が５分間継続して停止したとき，表示装置５，変速設定器３への電流供給を遮断していたが，５分間継続以外の時間を設定してもよい。
【００１６】
【発明の効果】
本発明によれば，走行が所定時間例えば５分間継続して停止した場合，表示装置及び変速設定器のうち少なくとも１つに供給する電流を遮断させて，消費電力を減少させることができ，乾電池を長寿命化させることができる。
【図面の簡単な説明】
【図１】本発明の乾電池を有する制御器の一実施の形態を示す概略ブロック図である。
【図２】図１のフローチャート図である。
【図３】従来の乾電池を有する制御器の概略ブロック図である。
【符号の説明】
１  乾電池
２  制御装置
３  変速設定器
４  変速用モータ
５  表示装置
６，８  スイッチング素子
１０  変速検出器
１１  手動起動用スイッチ
１２  自動起動用スイッチ
【図１】
0003760014.tif 000002
【図３】
0003760014.tif 000003
【図２】
0003760014.tif 000004